(57)【要約】【課題】商品を収納したカップを１個あるいは複数個まとめて包装するカップホルダーの外面を利用して、広告宣伝したい商品等について、一人一人が手に持って、カップホルダーの外面に形成した印刷画像表示媒体を通して、必然的に、確実に見せることできる広告宣伝媒体を提供することにある。【解決手段】本発明は、商品を収納したカップの１個あるいは複数個をまとめて包装するカップホルダーの外面に、カップ内に収納された商品と全く無関係な他の商品を広告宣伝する文字、図形、記号、絵柄等からなる印刷画像表示部を形成したことを特徴とする広告宣伝媒体である。【選択図】図１
2005091972.tif 000002
【特許請求の範囲】
【請求項１】
商品を収納したカップの１個あるいは複数個をまとめて包装するカップホルダーの外面に、前記カップ内に収納された前記商品と全く無関係な他の商品を広告宣伝する文字、図形、記号、絵柄等からなる印刷画像表示部を形成したことを特徴とする広告宣伝媒体。
【発明の詳細な説明】
【技術分野】
【０００１】
本発明は、広告宣伝媒体に関し、さらに詳しくは、カップホルダーの外面を利用して、商品を購入した人に、広告宣伝したい商品を確実に知らせ、その関心を引きつけることができる広告宣伝媒体に関するものである。
【背景技術】
【０００２】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等、商品表示にかかる文字、図形、記号、絵柄等からなる印刷画像表示を形成し、その商品の広告宣伝を行っている。あるいは、商品に関するチラシ、カタログ等を作製し、これを不特定多数の人に配布し、そこに掲載されている商品を広く知らせて、人々の関心を引いて広告宣伝を行う場合もある。さらに、例えば、街頭のネオンサイン等を利用し、主に、視覚を通して商品を広告宣伝する場合、さらには、ラジオ、街頭放送等を利用し、主に、音声を通して商品を広告宣伝する場合、あるいは、テレビ等を利用し、主に、音声と映像等を通して商品を広告宣伝する場合等もある。
【０００３】
しかし、上記のような従来の広告宣伝媒体による広告宣伝は、不特定多数の人に向かって商品を広告宣伝するものであり、通常、一人一人が、それを視覚を通して見たり、また、聴覚をとおして聴いたりしても、広告宣伝する商品について、それ程関心を引くものとなっていない。ましてや、人々は、近年、広告宣伝の氾濫による喧騒等に嫌悪感を持つようになっており、それほどに関心のない商品の宣伝広告は、見たり、聴いたりすることを避け、チラシ、カタログ等に至っては、見ないで、そのまま捨ててしまい、その商品の広告宣伝に振り向かないのが実状である。
【０００４】
そこで、商品を収納した個包装容器を１個あるいは複数個まとめて包装する包装容器の外面を利用して、広告宣伝したい商品等について、一人一人が手に持って、包装容器の外面に形成した印刷画像表示媒体を通して、必然的に、確実に見せることできる広告宣伝媒体が提案されている（例えば、特許文献１参照。）。
【特許文献１】特開平１０−２６８８１８号公報
【発明の開示】
【発明が解決しようとする課題】
【０００５】
しかしながら、上記の特開平１０−２６８８１８号公報「広告宣伝媒体」は、包装容器の表面に広告宣伝したい商品等の印刷画像表示部を形成したことを特徴とする広告宣伝媒体であり、カップを集積包装するカップホルダーを利用して広告宣伝したい商品等の印刷画像表示部を形成した広告宣伝媒体とはなっていない。
【０００６】
そこで本発明は、商品を収納したカップを１個あるいは複数個まとめて包装するカップホルダーの外面を利用して、広告宣伝したい商品等について、一人一人が手に持って、カップホルダーの外面に形成した印刷画像表示媒体を通して、必然的に、確実に見せることできる広告宣伝媒体を提供することである。
【課題を解決するための手段】
【０００７】
上記のような課題を解決すべく本発明は、商品を収納したカップの１個あるいは複数個をまとめて包装するカップホルダーの外面に、前記カップ内に収納された前記商品と全く無関係な他の商品を広告宣伝する文字、図形、記号、絵柄等からなる印刷画像表示部を形成したことを特徴とする広告宣伝媒体である。
【発明の効果】
【０００８】
以上の説明で明らかなように、本発明は、商品を収納したカップの１個あるいは複数個をまとめて包装するカップホルダーの外面に着目し、そのカップホルダーの外面に、カップ内に収納された商品と全く無関係な他の商品を広告宣伝する文字、図形、記号、絵柄等からなる印刷画像表示部を形成することにより、カップに収納されている商品を購入しようとする、あるいは、購入した一人一人は、そのカップホルダーを手に持って、カップに施されている収納されている商品に関する印刷画像表示部に目を落とすと同時に、必然的に、確実に、そのカップホルダーの外面に施されている他の商品に関する印刷画像表示部を見ることになり、これによって、極めてその商品の広告宣伝機能の高い広告宣伝媒体とすることができるものである。
【発明を実施するための最良の形態】
【０００９】
以下に、図面を参照にしながら、本発明の広告宣伝媒体の実施の形態についてさらに詳しく説明する。なお、説明を簡単にするために、各図において対応する部位には、同じ符号を付している。
【００１０】
図１は、本発明にかかる広告宣伝媒体の実施の形態の一実施例を示す斜視図である。本発明の広告宣伝媒体Ａは、中に商品１を収納した複数個のカップ２をまとめて包装しているカップホルダー３であり、そのカップホルダー３の表面に商品１を表示する文字、図形、記号、絵柄等からなる印刷画像表示部４を形成している。この商品１を収納したカップ２を複数個（本実施例では３個）まとめて包装したカップホルダー３の表側Ｐの外面に、その商品１を表示する事項、例えば、商品１の商標名ａ、商品１を表す絵柄ｂ、商品１の品名、中身、内容量、製造者、および販売者等を表す欄ｃ、商品１の使用法、保存法等の所定の表示事項（図示してない）等、商品１を表す文字、図形、記号、絵柄等からなる印刷画像表示部４を形成し、さらに、その印刷画像表示部４以外の領域に、カップ２内に収納されている商品１と全く無関係である他の商品５を広告宣伝する事項、例えば、他の商品５の商品名ｘ、他の商品５を表す絵柄ｙ、他の商品５の性能、製造者、販売者等の他の商品５を表示する欄ｚ、他の商品５の使用法、修理法等の所定の事項（図示してない）等、他の商品５を表す文字、図形、記号、絵柄等からなる印刷画像表示部６を形成して、本発明にかかる広告宣伝媒体Ａを構成するものである。
【００１１】
なお、カップホルダー３の形状が、外からカップ２に形成した商品１を表示する文字、図形、記号、絵柄等からなる印刷画像表示部を視認することができることから、必ずしも、商品１を表示をする文字、図形、記号、絵柄等からなる印刷画像表示部４を形成する必要はない。
【００１２】
また、カップホルダー３において、商品１の印刷画像表示部４および商品５の印刷画像表示部６を設ける位置は、特に限定されるものではないが、購入者が見やすい位置とすることが好ましい。
【００１３】
本発明においては、上記のような広告宣伝媒体Ａとすることによって、そのカップ２に収納された商品１を購入しようとする、あるいは、購入した一人一人は、そのカップホルダー３を手に持って、カップ２に施されている収納されている商品１に関する印刷画像表示部に目を落とす同時に、必然的に、確実に、そのカップホルダー３の外面に施されている他の商品５に関する印刷画像表示部６を見ることになり、これによって、極めて高い商品の広告宣伝機能を発揮することができるものである。
【００１４】
カップホルダー３の形態は、図１に示すように、天板１１に連設した両側板１２、１２を折れ線ｌ、ｌで下方に折り曲げ、折れ線ｌ、ｌ上に設けた切り込み４の突起部４ａでカップ２のフランジを固定して集積包装するものである。
【００１５】
このカップホルダー３のブランク１０は、図２に示すように、天板１１の両側に折れ線ｌ、ｌを介して側板１２、１２を連設し、その折れ線ｌ、ｌには左右対称な位置に集積包装するカップ２の数と同数の切り込み４を設けている。この切り込み４は、中央部で天板１１方向に突出する突起部４ａを持つ形状とし、この突起部４ａでカップ２のフランジ２ａを係止し固定することができる。
【００１６】
カップホルダー３の形態としては、上記のような形態以外にも、例えば、図３に示すように、カップホルダー３がカップの蓋を兼用する形態とすることもできる。この形態のカップホルダー３では、内面に熱可塑性樹脂を被覆してなる加工紙を使用し、カップ２の開口したフランジ２ａにヒートシールすることにより、複数個のカップ２の蓋をすることができると同時に、連結することができるものであり、カップ２の蓋とホルダーを兼用できる形態である。
【００１７】
つぎに、本発明にかかる広告宣伝媒体について、それを構成する材料、製造法等を説明する。
【００１８】
本発明の広告宣伝媒体のカップホルダーの材料としては、板紙を主に使用し、この板紙は、剛性、印刷適性等を持たせるものであり、白板紙、マニラボール、高級板紙、段ボール等を使用することができる。上記において、板紙としては、坪量約８０〜１０００ｇ／ｍ2の範囲のもの、好ましくは、坪量約２５０〜６００ｇ／ｍ2の範囲のものを使用することが望ましい。もちろん、板紙を基材層として、各種の樹脂を積層した積層体として使用することができる。
【００１９】
つぎに、本発明の広告宣伝媒体において、カップホルダーの材料として、板紙以外に、プラスチックシートを使用することができる。例えば、ポリエチレン系樹脂、ポリプロピレン系樹脂、エチレン−プロピレン共重合体、ポリ塩化ビニル系樹脂、ポリアクリルニトリル系樹脂、ポリスチレン系樹脂、ポリカーボネート系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂等の公知のプラスチックシートを使用することができる。
【００２０】
これらの材料を使用して所望のカップホルダーを製造するブランク板を打抜き工程で製造する。この打抜き工程では、折り曲げ用の罫線、切れ線、切り取り線、通気孔等の加工も行なうことができる。
【００２１】
本発明においては、上記のような基材の表面に、原反の状態において、予め、例えば、文字、図形、記号、絵柄、模様等の所望の印刷絵柄を通常の印刷法、例えば、オフセット印刷、グラビア印刷、凸版印刷、シルクスクリーン印刷、転写印刷等によって表刷り印刷、あるいは裏刷り印刷等を行うことにより、カップ２内に収納した商品１を表示する商品名、商標名、製造者、販売者、商品説明事項等、商品１を表示する文字、図形、記号、絵柄等からなる印刷画像表示部４を形成すると共に、その印刷画像表示部４以外の領域に、カップ２内に収納された商品と全く無関係な他の商品５を広告宣伝する文字、図形、記号、絵柄等からなる印刷画像表示部６を形成することができるものである。なお、本発明においては、上記のような印刷画像表示部６を形成するに際しては、印刷画像表示部６を構成する文字、図形、記号、絵柄等を、通常の印刷インキを使用して形成する代わりに、例えば、蛍光性インキ、示温性インキ等を使用して印刷画像表示部６を形成することもでき、さらには、その印刷画像表示部６の構造を凹凸画像等にすることもでき、さらにまた、ホログラフィー等を使用して印刷画像表示部６を形成してもよく、また、印刷インキの色数を増やして印刷画像表示部６を形成することもできる。そして、上記のような印刷画像表示部６を形成することにより、その機能性、広告宣伝効果等をさらに高めることが可能となるものである。
【００２２】
本発明の広告宣伝媒体に用いられるカップ２としては、紙カップおよびプラスチックカップがあり、形状、材料等は特に限定されるものではない。
【００２３】
また、本発明の広告宣伝媒体において、カップ内に収納された商品と全く無関係な他の商品を広告宣伝する文字、図形、記号、絵柄等からなる印刷画像表示部は、上記のように、通常は、カップホルダーの外面に設けるものであるが、しかし、例えば、カップホルダーの外面に貼り合わせるラベル等にも設けることもでき、これによって、ラベル等も、本発明にかかる広告宣伝媒体とすることができるものである。
【００２４】
なお、本発明の広告宣伝媒体において、カップ内に収納する商品としては、例えば、飲料、冷菓、ヨーグルト、納豆等種々の商品を対象とすることができ、これと全く関係のない他の商品としては、例えば、食品、菓子、果汁・酒・油・調味料等の各種の飲食品、洗剤・歯磨き粉等の日用品、雑貨品、テレビ・冷蔵庫・洗濯機・掃除機等の電気製品、パソコン、ゲーム機、通信機器、オーディオ製品、医薬品、ノート・各種ペン・消しゴム・各種テープ・コピー用紙等の文房具、ゴルフ道具・サーカー道具・野球道具等の各種の運動用具等の種々の商品を対象とすることができ、これらの商品を任意に組み合わせて適用することができる。
【実施例】
【００２５】
以下に、上記の本発明の広告宣伝媒体について具体例を挙げてさらに詳しく説明する。
【００２６】
＜実施例１＞
ヨーグルトが収納され、蓋が密封シールされ、外面にはヨーグルトという商品名、絵柄、原材料名、内容量、賞味期限、製造者、あるいは販売者等のを表示する印刷画像表示部が印刷されているプラスチックカップ３個を集積包装するカップホルダーを作製した。
【００２７】
まず、このプラスチックカップを３個まとめて包装するカップホルダーとして、厚さ４００ｇ／ｍ2の両面ポリエチレンコート紙を使用して、表面にオフセット印刷でプラスチックカップ内に収納した商品であるヨーグルトを表示する文字、図形、記号、絵柄等からなる印刷画像表示部を印刷すると共に、その印刷画像表示部以外の領域に、ヨーグルトと全く無関係な携帯電話を広告宣伝する文字、図形、記号、絵柄等からなる印刷画像表示部を印刷した。しかる後、図２に示すようなカップホルダーのブランクを製造し、このブランクを使用して、組み立てて、カップホルダーによりプラスチックカップ３個を集積包装した。図１に示すように、このカップホルダーは、外面にヨーグルトの表示と共に携帯電話が広告宣伝されている広告宣伝媒体となった。
【００２８】
＜実施例２＞
納豆が収納され、上方は蓋がなく開口され、外面には納豆という商品名、絵柄、原材料名、内容量、賞味期限、製造者、あるいは販売者等のを表示する印刷画像表示部が印刷されている紙カップ３個を集積包装するカップホルダーを作製した。
【００２９】
まず、この紙カップを３個まとめて包装するカップホルダーとして、厚さ４００ｇ／ｍ2の両面ポリエチレンコート紙を使用して、表面にオフセット印刷で紙カップ内に収納した商品である納豆を表示する文字、図形、記号、絵柄等からなる印刷画像表示部を印刷すると共に、その印刷画像表示部以外の領域に、納豆と全く無関係な携帯電話を広告宣伝する文字、図形、記号、絵柄等からなる印刷画像表示部を印刷した。しかる後、カップホルダーのブランクを製造し、このブランクを使用して、組み立てて、カップホルダーにより紙カップ３個の蓋をするとともに集積包装した。図３に示すように、このカップホルダーは、外面に納豆の表示と共に携帯電話が広告宣伝されている広告宣伝媒体となった。
【図面の簡単な説明】
【００３０】
【図１】本発明にかかる広告宣伝媒体の実施の形態の一実施例を示す斜視図、上面図および断面図である。
【図２】図１のカップホルダーのブランクの展開図である。
【図３】本発明にかかる広告宣伝媒体の第一の実施の形態の別の実施例を示す斜視図、上面図および断面図である。
【符号の説明】
【００３１】
Ａ    広告宣伝媒体
Ｂ    広告宣伝媒体
１    商品
２    カップ
３    カップホルダー
３´  カップホルダー
４    文字、図形、記号、絵柄等からなる印刷画像表示部
ａ    商品の商標名
ｂ    商品を表す絵柄
ｃ    商品の品名、中身、製造者、および販売者等を表す欄
５    他の商品
６    他の商品を表す文字、図形、記号、絵柄等からなる印刷画像表示部
ｘ    他の商品の商標名
ｙ    他の商品を表す絵柄
ｚ    他の商品の性能、製造者等を表示する欄
【図１】
2005091972.tif 000003
【図２】
2005091972.tif 000004
【図３】
2005091972.tif 000005